【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
ブロードキャスト・ネットワークから遠隔に位置する複数の従業員に個別化されたリアルタイムの仕事割り当てを送信する方法であって：
解析ユニットに従業員ユーザー・プロファイル基準を入力する段階と；
前記解析ユニットに仕事割り当て基準を入力する段階と；
前記従業員ユーザー・プロファイルを前記仕事割り当て基準と突き合わせて少なくとも一つの個別化された仕事割り当てのデータセットを生成する段階と；
前記仕事割り当て基準と前記従業員ユーザー・プロファイルとの前記突き合わせに基づいて前記データセットを雇用主通信機装置送信する段階と；
前記データセットを雇用主によって吟味する段階と；
個別化された仕事割り当てを従業員に割り当てる段階と；
前記仕事割り当て基準と前記従業員ユーザー・プロファイルとの前記突き合わせに基づいて前記個別化された仕事割り当てを前記従業員に送信する段階とを有する方法。
【請求項２】
前記従業員ユーザー・プロファイル基準が雇用主通信機装置に入力される、請求項１記載の方法。
【請求項３】
前記雇用主通信機装置がコンピュータ、携帯情報端末、携帯電話および複合型携帯情報端末／携帯電話よりなる群から選択される、請求項２記載の方法。
【請求項４】
前記データセットが、従業員ユーザー・プロファイル基準および仕事割り当て基準の少なくとも二つを含む請求項１記載の方法であって：
前記従業員ユーザー・プロファイルを前記仕事割り当て基準と突き合わせた結果に基づいて、前記解析ユニットが従業員に仕事割り当てを割り当てる段階をさらに有する、方法。
【請求項５】
個別化された仕事割り当てが従業員通信機装置を介して従業員に伝送される、請求項１記載の方法。
【請求項６】
前記従業員通信機装置が携帯情報端末、携帯電話、複合型携帯情報端末／携帯電話およびポケットベルよりなる群から選択される、請求項５記載の方法。
【請求項７】
個別化されたリアルタイムの気象および環境データを生成する方法であって：
少なくとも二つのユーザー・プロファイルが通信機装置、指定された位置および該指定された位置に関連付けられた所定の気象および環境センサーの識別情報を同定する複数のユーザー・プロファイルを受け取る段階と；
気象および環境情報データベースならびに前記所定の気象および環境センサーからのセンサー・データを解析して個別化された気象および環境出力信号を生成する段階と；
前記気象および環境出力信号を前記ユーザー・プロファイルで同定されている通信機装置に送信する段階とを有する方法。
【請求項８】
前記複数のユーザー・プロファイルを受け取る段階が、空間範囲識別子を受け取り、該空間範囲識別子を前記所定の気象および環境センサーのうちの一つと関連付けることとしてさらに定義される、請求項７記載の方法。
【請求項９】
前記複数のユーザー・プロファイルを受け取る段階が、前記所定の気象および環境センサーによってモニタリングされるべき気象および環境情報の種類を示す環境識別子を受け取ることとしてさらに定義される、請求項７記載の方法。
【請求項１０】
リアルタイムの道路条件情報を収集する方法であって：
道路に沿ったさまざまな位置に気象および環境センサーを取り付ける段階と；
気象解析ユニットによって、前記センサーから気象または環境条件情報を受け取る段階と；
少なくとも二つのユーザー・プロファイルが通信機装置を同定する、複数のユーザー・プロファイルを受け取る段階と；
前記センサーから受け取られた前記気象または環境条件情報を解析して、個別化された気象および環境出力信号を生成する段階と；
前記気象および環境出力信号を前記ユーザー・プロファイルで同定されている通信機装置に送信する段階とを有する方法。
【請求項１１】
前記気象および環境センサーを取り付ける段階が、前記気象および環境センサーの少なくとも一つを乗り物に取り付けることとしてさらに定義される、請求項１０記載の方法。
【請求項１２】
前記気象および環境センサーを取り付ける段階が、前記気象および環境センサーの少なくとも一つをビルボードに取り付けることとしてさらに定義される、請求項１０または１１に記載の方法。
【請求項１３】
前記気象および環境センサーを取り付ける段階が、前記気象および環境センサーの少なくとも一つを給油ポンプに取り付けることとしてさらに定義される、請求項１０ないし１２のうちいずれか一項記載の方法。
【請求項１４】
前記気象および環境センサーを取り付ける段階が、前記気象および環境センサーの少なくとも一つを携帯電話タワーに取り付けることとしてさらに定義される、請求項１０ないし１３のうちいずれか一項記載の方法。
【請求項１５】
ブロードキャスト・ネットワークから個別化されたリアルタイムの仕事割り当てを送信する方法であって：
複数の従業員の位置を同定する位置情報を解析ユニットに受け取る段階と；
前記解析ユニットに、意図される宛先の識別子を含む仕事割り当て基準を入力する段階と；
前記位置情報を前記仕事割り当て基準と突き合わせて少なくとも一つの個別化された仕事割り当てのデータセットを生成する段階と；
前記位置情報と前記仕事割り当て基準との前記突き合わせに基づいて前記個別化された仕事割り当てを従業員に送信する段階とを有する方法。
【請求項１６】
ブロードキャスト・ネットワークから遠隔に位置する複数の従業員に個別化されたリアルタイムの仕事割り当てを送信する方法であって：
ユーザー・プロファイルに従業員ユーザー・プロファイル基準を入力する段階と；
雇用主通信機装置および従業員通信機装置を介して前記ユーザー・プロファイルにアクセスし、ここで、前記雇用主通信機装置は前記ユーザー・プロファイル全体にアクセスし、前記従業員通信機装置は前記ユーザー・プロファイルの部分集合にアクセスする、段階と；
前記解析ユニットに仕事割り当て基準を入力する段階と；
前記従業員ユーザー・プロファイルを前記仕事割り当て基準と突き合わせて少なくとも一つの個別化された仕事割り当てのデータセットを生成する段階と；
前記仕事割り当て基準と前記従業員ユーザー・プロファイルとの前記突き合わせに基づいて前記個別化された仕事割り当てを前記従業員に送信する段階とを有する方法。
【請求項１７】
前記従業員通信機装置を使って前記ユーザー・プロファイル基準を編集する段階をさらに有する、請求項１６記載の方法。
【請求項１８】
前記雇用主通信機装置を使って前記ユーザー・プロファイル基準を編集する段階をさらに有する、請求項１６記載の方法。
【手続補正２】
【補正対象書類名】明細書
【補正対象項目名】０００７
【補正方法】変更
【補正の内容】
【０００７】
もう一つの卑近な例が問題を明確にする。次の週末にソフトボールの決勝戦を見に行こうとわくわくしている家族が地元の天気予報を丹念に見守っている。１週間ずっと、試合の日についての予報は晴れところにより曇りと助言していた。試合当日の早朝、予報はところにより曇り、午後遅くににわか雨の確率30%と変わる。家族は、降水確率が自分たちが感じるリスクレベルより低いと信じて試合を見に行くことに決める。正午に、その家族の知らないところで、ところどころのにわか雨が強まっており、試合場に危険な雷を落としそうになる。朝の天気予報は完全に不正確ではなかったものの、選手と観客はリスクにさらされる。あとで聞かれても、家族は天気予報を聞かなかったか思い出せないことはありそうである。自分たちの天気についての限られた知識を、自分たちの必要性およびリスク曝露に結び付けはしなかった。変わりつつある気象事象を見守らなかった。もっともありそうなのは、試合中、発達しつつあるリスクを見守ることはできなかった。明らかに、これらの人々は、古くなった限られた情報を自分の個別的な用途に適用されるものとして解釈することを強いられたのである。
【特許文献１】US4,774,658
【特許文献２】US4,945,355
【特許文献３】US5,122,959
【特許文献４】US5,819,227
【特許文献５】US5,880,958
【特許文献６】US6,219,667
【特許文献７】US5,467,268
【特許文献８】US6,408,337
【特許文献９】US6,430,562
【特許文献１０】US6,212,393
【特許文献１１】US6,587,851
【特許文献１２】US6,838,998
【特許文献１３】US6,990,458
【特許文献１４】US6,334,133
【特許文献１５】US7,284,000
【特許文献１６】US2002/0010615
【特許文献１７】US2003/0191795
【特許文献１８】US2004/0267595
【特許文献１９】US7,254,481
【特許文献２０】US5,444,444
【特許文献２１】US5,652,303
【特許文献２２】US6,100,806
【特許文献２３】US6,411,809
【特許文献２４】US6,484,033
【特許文献２５】US6,680,675
【特許文献２６】US7,248,159
【特許文献２７】US7,254,481
【特許文献２８】US7,284,033
【特許文献２９】US7,289,908
【特許文献３０】US2002/0077876
【特許文献３１】US2003/0149607
【特許文献３２】US6,049,776
【特許文献３３】US6,266,612
【特許文献３４】US6,334,133
【特許文献３５】US6,446,004
【特許文献３６】US6,675,151
【特許文献３７】US6,680,675
【特許文献３８】US6,742,002
【特許文献３９】US6,962,531
【特許文献４０】US2002/0029160
【特許文献４１】US2002/0077876
【特許文献４２】US2002/0165732
【特許文献４３】US2004/0010591
【特許文献４４】US6,446,004
【特許文献４５】US6,578,005
【特許文献４６】US6,587,831
【特許文献４７】US6,664,136
【特許文献４８】US6,850,895
【特許文献４９】US7,171,372
【特許文献５０】US7,123,926
【特許文献５１】US7,139,664
【特許文献５２】US2001/0029160
【特許文献５３】US2001/0051888
【特許文献５４】US2001/0042001
【特許文献５５】US2003/0004780
【特許文献５６】US2003/0014297
【特許文献５７】JP2002056156A
【特許文献５８】US2003/0125963
【特許文献５９】US2006/0111089
【特許文献６０】US6,070,143
【特許文献６１】US5,111,391
【特許文献６２】US5,467,268
【特許文献６３】US5,615,121
【特許文献６４】US6,018,699
【特許文献６５】US6,047,327
【特許文献６６】US6,578,005
【特許文献６７】US6,587,831
【特許文献６８】US6,587,851
【特許文献６９】US6,590,529
【特許文献７０】US6,633,900
【特許文献７１】US6,654,689
【特許文献７２】US6,603,405
【特許文献７３】US6,823,263
【特許文献７４】US6,823,315
【特許文献７５】US7,089,116
【特許文献７６】US2001/0049584
【特許文献７７】US2002/0040313
【特許文献７８】US2002/0077876
【特許文献７９】US2003/0028410
【特許文献８０】US2005/0096962
【特許文献８１】US6,941,126
【特許文献８２】WO99/57700
【特許文献８３】US2001/0049584
【特許文献８４】US6542825
【特許文献８５】US6754585
【特許文献８６】JP08-221694
【特許文献８７】US60/182,352
【特許文献８８】US60/192,114
【特許文献８９】US6023223
【特許文献９０】US6654689B1
【特許文献９１】US6677894B2
【特許文献９２】US6351218
【特許文献９３】US6405134
【特許文献９４】US6603405
【特許文献９５】US6845324
【特許文献９６】US5398021
【特許文献９７】US5481254
【特許文献９８】US5555446
【特許文献９９】US5890953
【特許文献１００】US5867109
【特許文献１０１】US5867110
【特許文献１０２】US5948041
【特許文献１０３】US5963130
【特許文献１０４】US5974447
【特許文献１０５】US5999126
【特許文献１０６】US6018699
【特許文献１０７】US6028514
【特許文献１０８】US6040781
【特許文献１０９】US6043756
【特許文献１１０】US6047327
【特許文献１１１】US6091959
【特許文献１１２】US6240369
【特許文献１１３】US6360172
【特許文献１１４】US6498987
【特許文献１１５】US6501392
【特許文献１１６】US6505123
【特許文献１１７】US6560456
【特許文献１１８】US6590529
【特許文献１１９】US6611687
【特許文献１２０】WO9957700
【特許文献１２１】US6023223
【特許文献１２２】US6654689B1
【非特許文献１】MobileCentrex  com  Web  Pages,  Mobile  Centrex,  March  2003、［2008年10月15日検索］、インターネット
【非特許文献２】Dispatch  definition、［2008年10月15日検索］、インターネット〈URL:Wikipedia.org〉
【非特許文献３】MobileCentrex.com  Web  Pages,  Mobile  Centrex,  Inc.,  2004、［2008年10月15日検索］、インターネット〈URL:Archive.org〉
【非特許文献４】MobileCentrex.com  Brochure,  Mobile  Centrex,  Inc.,  2004、［2008年10月15日検索］、インターネット〈URL:Archive.org〉
【非特許文献５】iMedeon  Announces  Support  for  Microsoft  Windows（登録商標）  CE  Devices  for  its  Wireless,  Web-based  Mobile  Workforce  Management  Applications,  Business  Wire、2001年2月5日
【非特許文献６】Computer-Assisted  Dispatch  definition、［2008年10月15日検索］、インターネット〈URL:Wikipedia.org〉
【非特許文献７】Reinhart,  Ted,  City  Uses  GIS  to  monitor  snow-fighting  fleet,  The  American  City  &  Country,  1999年4月、第114巻、第4号、第31頁
【非特許文献８】Howard  County  Bureau  of  Highways  -  Web-enabled  Snowplow  Tracking  System,  Howard  County,  1999年
【非特許文献９】Kruse,  John,  Snow  and  Ice  Go  Hi-tech,  Mobile  Radio  Technology  Magazine,  1999年10月1日
【非特許文献１０】Jing,  Jin  et  al.,  WHAM:  Supporting  Mobile  Workforce  and  Applications  in  Workflow  Environments,  RIDE  2000,  Research  Issues  in  Data  Engineering,  2000年2月
【非特許文献１１】Visual  Staff  Scheduler  Pro  Version  3.0  User  Guide,  Alias  Business  Solutions,  Inc.、1997年
【非特許文献１２】Maxima  Advantage,  Call  Center  CRM  Solutions,  Vol.  18,  No.  7、2000年1月
【非特許文献１３】MDSI-Advantex.com  Web  Pages,  MDSI,  1999年2月、［2006年12月11日検索］、インターネット〈URL:Archive.org〉
【非特許文献１４】Collins,  John  et  al.,  Automated  Assignment  and  Scheduling  of  Resource  Personnel,  IEEE  Expert,  1994年4月、第33-39頁
【非特許文献１５】Lesaint  D  et  al.,  Dynamic  Workforce  Management,  AI  for  Network  Management  Systems,  IEEE,  1997年4月14日
【非特許文献１６】Vanlive  and  MDSI  to  Provide  Enterprise  Wide  Wireless  Field  Service  Solution、PR  Newswire、1998年10月26日
【非特許文献１７】Weigel,  Don  et  al.,  Applying  GIS  and  OR  Techniques  to  Solve  Sears  Technician  Dispatching  and  Home  Delivery  Problems  Interfaces,  1999年1-2月、第29巻、第1号、第112-130頁
【非特許文献１８】Timmins,  Annmanes,  Mobile  workers  sync  up,  IT  Support  News,  1999年12月、第19巻、第13号、第28、30頁
【非特許文献１９】Bisio,  Rosella  et  al,  Effective  Resource  Scheduling  in  Work  Force  Management  Context  for  Telecommunications  Work  Centers,  CAPAIOR  '99,  1999
【非特許文献２０】Jing,  Jin  et  al.,  WHAM:  Supporting  Mobile  Workforce  and  Applications  in  Workflow  Environments,  RIDE  2000,  Research  Issues  in  Data  Engineering,  2000年2月
【非特許文献２１】Partyka,  Janice  et  al.,  On  the  Road  to  Service,  ORMS  Today,  2000年8月
【非特許文献２２】MobileAria  and  WeatherBank  Announce  Partnership  to  Avert  Delays,  Increase  Driver  Productivity、Business  Wire,  2001年6月26日
【非特許文献２３】Feldman,  William  et  al.,  Making  cell  phones  indispensable  for  techs,  Contractor,  第51巻、第4号、2004年7月
【非特許文献２４】"Personal  Digital  Radio  Service",  IBM  Technical  Disclosure  Bulletin,  第38巻、第9号、1995年8月